(57)【要約】【課題】  循環する搬送部材から輸送体のグリップに印刷製品を移送できるために、搬送流で輸送された印刷製品の安定な位置を達成する他の方法を提供すること。【解決手段】  搬送部材（３）の下部でおよそ同じ方向に且つ同期的に駆動されて規則的間隔のグリップ（６）を有する輸送体（５）にて搬送路上に循環する搬送部材（３）の間隔を置いたクランプ（２）で搬送方向に横切って吊るして輸送された印刷製品（４）を移送する装置（１）では、印刷製品（４）を移送部分（７）上に同伴する案内配列装備（８）並びにクランプを開放し且つグリップを閉鎖する操作装置が設けられ、案内配列装備（８）はそれぞれに横に搬送部材（３）のクランプ（２）によって印刷製品（４）間に形成された空間に沈んで搬送方向に作用する螺旋状に形成されたロータ（１２、１３）の螺旋部分（１１）を有する。【選択図】      図１
2007246284.tif 000002
【特許請求の範囲】
【請求項１】
搬送部材（３）の下部でおよそ同じ方向に且つ同期的に駆動されて規則的間隔のグリップ（６）を有する輸送体（５）にて搬送路上に循環する搬送部材（３）の間隔を置いたクランプ（２）で搬送方向に横切って吊るして輸送された印刷製品（４）を移送する装置（１）であり、印刷製品（４）を移送部分（７）上に同伴する案内配列装備（８）並びにクランプを開放し且つグリップを閉鎖する操作装置を備える移送装置において、案内配列装備（８）はそれぞれに横に搬送部材（３）のクランプ（２）によって印刷製品（４）間に形成された空間に沈んで搬送方向に作用する螺旋状に形成されたロータ（１２、１３）の螺旋部分（１１）を有することを特徴とする装置。
【請求項２】
搬送部材（３）と輸送体（５）は印刷製品（４）の搬送方向において移送部分（７）の入口領域（９）内に、搬送部材（３）と輸送体（５）が連続的に接近するように斜めに上方に延びる方向変更部を有することを特徴とする請求項１に記載の装置。
【請求項３】
輸送体（５）は移送部分（７）上に彎曲した経路を有することを特徴とする請求項１或いは２に記載の装置。
【請求項４】
輸送体（５）は移送部分（７）の出口領域（１０）内に水平走行方向を有することを特徴とする請求項３に記載の装置。
【請求項５】
螺旋状に形成されたロータ（１２、１３）は搬送方向において見て円錐状に継続する直径を有することを特徴とする請求項１乃至４のいずれか一項に記載の装置。
【請求項６】
搬送部材（３）にてのクランプ間隔によって吊るす印刷製品（４）の間に形成された空間に沈むロータ（１２、１３）の螺旋部分（１１）は印刷製品（４）の搬送方向において見て減少する勾配を有することを特徴とする請求項１乃至５のいずれか一項に記載の装置。
【請求項７】
螺旋状に形成されたロータ（１２、１３）の駆動可能な軸（１４）は搬送方向において見て斜めに上方に上昇する回転軸線を有することを特徴とする請求項１乃至６のいずれか一項に記載の装置。
【請求項８】
ロータ（１２、１３）は対向方向に駆動されて、対向距離について調整可能に配置されていることを特徴とする搬送部材（３）により輸送された印刷製品（４）の両側に配置された螺旋状ロータ（１２、１３）を備える請求項１乃至７のいずれか一項に記載の装置。
【請求項９】
ロータ（１２、１３）は一つの駆動装置（１５）と駆動接続されていることを特徴とする請求項１乃至８のいずれか一項に記載の装置。
【請求項１０】
移送部分（７）は輸送体（５）のグリップ（６）を閉鎖し且つ搬送部材（３）のクランプ（２）を開放する操作装置（１９、２０）を有することを特徴とする請求項１乃至９のいずれか一項に記載の装置。
【請求項１１】
搬送部材（３）と輸送体（５）の間の距離は移送部分（７）上で変更できることを特徴とする請求項１乃至１０のいずれか一項に記載の装置。
【請求項１２】
搬送部材（３）と輸送体（５）の間の距離を変更するために移送部分（７）上では輸送体（５）の形状一体的ガイド（２１）の少なくとも勾配が調整可能に形成されていることを特徴とする搬送部材（３）と輸送体（５）が移送部分（７）上で形状一体的に案内される請求項１１に記載の装置。
【請求項１３】
輸送体（５）のガイド（２１）は移送部分（７）内で長さ調整可能であることを特徴とする請求項１２に記載の装置。
【請求項１４】
搬送部材（３）のクランプ（２）は輸送体（５）のグリップ（６）より小さい間隔を有することを特徴とする請求項１乃至１３のいずれか一項に記載の装置。
【請求項１５】
輸送体（５）は搬送部材（３）より大きい搬送速度を有することを特徴とする請求項１４に記載の装置。
【発明の詳細な説明】
【技術分野】
【０００１】
この発明は、搬送部材の下部でおよそ同じ方向に且つ同期的に駆動されて規則的間隔のグリップを有する輸送体にて搬送路上に循環する搬送部材の間隔を置いたクランプで搬送方向に横切って吊るして輸送された印刷製品を移送する装置であり、印刷製品を移送部分上に同伴する案内配列装備並びにクランプを開放し且つグリップを閉鎖する操作装置を備える移送装置に関する。
【背景技術】
【０００２】
欧州特許出願公開第０３８０９２１号明細書（特許文献１）は、第一搬送システムに吊るして第一方向に輸送した印刷紙を移送し且つ印刷紙を個々に引渡して第二方向に輸送した第二搬送システムに引渡しする装置を開示する。それ故に、印刷紙の障害のない移送引渡しができるので、搬送システム間に接続された平面羽根車が設けられ、その平面羽根車は印刷紙を受ける開閉可能な面によって形成されて、印刷紙が転向後に第二搬送システムに引渡される。
【０００３】
ドイツ国ノイイゼンブルク印刷出版は、１９８９年以来、ミニュラー・マルチニグループの差し込み機械ＥＭ４０によって陳列輸送体により加工処理から保管される例えば新聞、雑誌などの印刷製品を生産した。陳列輸送体に吊るして保持されている平らな印刷製品の安定化と位置決めするために、搬送区間の特定部分を介して案内要素が搬送流に導入されて搬送方向に一緒に移動されるので、印刷製品は搬送区間の部分上で案内要素によって印刷製品がある箇所に定義された安定な位置を採るように案内される。
【特許文献１】欧州特許出願公開第０３８０９２１号明細書
【発明の開示】
【発明が解決しようとする課題】
【０００４】
この発明の課題は、循環する搬送部材から輸送体のグリップに印刷製品を移送できるために、搬送流で輸送された印刷製品の安定な位置を達成する他の方法を提供することである。
【課題を解決するための手段】
【０００５】
この発明によると、この課題は、案内配列装備がそれぞれに横に搬送部材のクランプによって形成された空間に螺旋状に形成されたロータの印刷製品の間に沈んで搬送方向に作用する螺旋部分を有することによって解決される。
この構造的措置により、印刷製品の正確で美しい移送が実現され得る。
【発明を実施するための最良の形態】
【０００６】
引き続いて、この発明は、すべてに関して明細書には詳細に述べられなかった細部について示唆された図面を参照して実施例に基づいて説明される。
【実施例】
【０００７】
図１と２は、クランプ２から印刷製品４を受け取る規則的間隔のグリップ６を有する印刷製品の下に配置された移送部分内におよそ同じ方向に循環する輸送体５において循環する搬送部材３の間隔を置いたクランプ２により搬送路上で搬送方向Ｆを横切って吊るして輸送された印刷製品４を移送する装置１を示す。この移送部分は案内配列装備８によって形成されて、その装備は搬送された印刷製品４を移送前に移送位置に移され、安定に保持される。移送部分７上には、搬送部材３と輸送体５は印刷製品４の搬送方向において見て入口領域９を介して斜めに上方に延びていて、連続的なものとして接近する。搬送部材３と輸送体５はそれぞれに彎曲した軌道を乗り越え、或いは移送部分７の出口領域１０に移行する彎曲した経路をとり、輸送体５は出口領域１０にておよそ水平方向にさらに延びており、それに対して案内部材３の経路が出口領域１０にて水平に或いは上方に向いている。案内配列装備８として、上昇する移送部分７内に印刷製品４によって形成された搬送流の両側にクランプ間隔によって形成された空間に螺旋状に形成されたロータ１２の印刷製品４の間に沈んで搬送方向に作用する螺旋部分１１が設けられ、その搬送方向にそれぞれに最後部螺旋部分１１は案内部材３のクランプ２に輸送されたそれぞれ一つの印刷紙の下に搬送流の自由空間に沈み、引き続いて別の螺旋部分と同伴して、最後に定義された移送位置に支持される。印刷製品４が輸送体５のその印刷製品に付属されたグリップ６により把持され、直接に引き続いて案内部材３のクランプ２から開放されることによって、到達した移送箇所では、移送過程が作動される。
【０００８】
印刷製品４の搬送方向に見て螺旋状ロータ１２、１３は反対に向いた方向において回転する（図３における矢印Ｐ、Ｐ’を参照）ので、そのロータ自由後端が二つの印刷製品４の間の自由空間に沈む。
【０００９】
螺旋部分１１の増加長さと同伴区間とにより、ロータ１２、１３は円錐切頭状に先細になる（図４を参照）。
【００１０】
同様に、螺旋部分１１の下の勾配は印刷製品４の搬送方向において減少させる。ロータ１２、１３の螺旋部分１１はばね鋼、ばね針金或いは合成樹脂から形成され得る。螺旋状ロータ１２、１３は搬送方向において見て斜め上方に上昇する回転軸線を有し、この回転軸線は軸１４によって形成される。
【００１１】
図３は搬送部材３により輸送された印刷製品の両側に配置された螺旋状ロータ１２、１３を備えた装置１を示し、これらロータは反対方向に回転するよう駆動され、その相互の距離が調整できる。
【００１２】
図１と２は、歯付きベルト伝動装置１７によって軸１４と連結されている伝動装置モータ１６から成る駆動装置１５を示す。駆動装置１５とロータ１２、１３は装置１の架台１８に固定されている。搬送部材３のクランプ２と輸送体５のグリップ６とを操作するために、操作装置１９、２０が設けられ、搬送部材３と輸送体５が少なくとも移送部分７上に形状一体的に案内すべきであり、それによりグリップ６の閉鎖と搬送部材３のクランプ２の開放が機械的手段１９、２０により行われ得る。異なるフォーマットの大きさ、例えば異なる長い脚の印刷製品４を移送するために、移送部分７上に上昇する案内要素が移動自在に形成されているので、案内部分の調整によって異なる大きな印刷製品４が搬送部材３から輸送体５に移送できる。このために、移送部分７上の輸送体５のために設けられた形状一体的ガイド２１が調整自在に配置されている。図１は、図２に図示されているより長い脚部を備える印刷製品４の位置におけるガイド２１を示す。図２は突き出すピストン・シリンダ・ユニット２２を示し、このユニットによってガイド２１は移送部分７内に左へ移動されるので、搬送部材３と輸送体の間の距離が移送部分７内に図１における距離より短い。
【００１３】
搬送部材３のクランプ２が輸送体５のグリップ６より小さい距離を有することによって、輸送体５は搬送部材３の速度より大きな速度により駆動される。
【図面の簡単な説明】
【００１４】
【図１】この発明による装置の側面図を示す。
【図２】図１に図示された装置を変更された加工位置いおいて示す。
【図３】図１に図示された装置の矢印方向Ｆによる正面図を示す。
【図４】図１乃至図３に示された案内配列装備の側面図を示す。
【符号の説明】
【００１５】
１．．．．．装置
２．．．．．クランプ
３．．．．．搬送部材
４．．．．．印刷製品
５．．．．．輸送体
６．．．．．グリップ
７．．．．．移送部分
８．．．．．案内配列装備
９．．．．．入口領域
１０．．．．出口領域
１１．．．．螺旋部分
１２、１３．．．ロータ
１５．．．．駆動装置
１６．．．．モータ
１７．．．．歯付きベルト伝動装置
１８．．．．架台
１９、２０．．．操作装置
２１．．．．ガイド
２２．．．．ピストン・シリンダ・ユニット
【図１】
2007246284.tif 000003
【図２】
2007246284.tif 000004
【図３】
2007246284.tif 000005
【図４】
2007246284.tif 000006